(57)【要約】      （修正有）【課題】本サインライトを使用発信する事で、相手ドライバーや歩行中の人たちと、心が通じ合う思いやりのドライブマナーで、安全運転を促進するサインライトを提供する。【解決手段】電池式照明器具の照明面２に、「ありがとう」、「どうもすみません」の文字、或いは頭を下げて「ありがとう」を表わす絵を書き込みや印刷、或いは前述の文字文章や絵を印刷したシール４、５を張り込むことで構成されているサインライト１であって、照明器具が点灯することにより照明面の絵及び文字を映し出す。【選択図】図１
0003228921.tif 000002
【実用新案登録請求の範囲】
【請求項１】
電池式照明器具の照明面に、「ありがとう」、「どうもすみません」、の文字、或いは頭を下げて「ありがとう」を表わす絵等を書き込みや印刷、或いは前述の文字文章や絵を印刷したシールを張り込むこと等で構成されていることを特徴とした、ドライバーの心をつなぐ「ありがとう」のサインライト。
【請求項２】
ワンプッシュで点灯、消灯することができる、請求項１によるサインライトが、瞬時に表示できること等で構成されていることを特徴とした、ドライバーの心をつなぐ「ありがとう」のサインライト。
【請求項３】
上記、請求項１に示した本考案のサインライトの裏面に、装着バンドを設ける等して、車内のサンバイザーに装着を可能にすること等で、構成されていることを特徴としたドライバーの心をつなぐ「ありがとう」のサインライト。
【考案の詳細な説明】
【技術分野】
【０００１】  本考案は、薄暮、夜間等にドライバーの「ありがとう」の気持ちを発信するための、照明器具に関するものである。
【背景技術】
【０００２】  自動車を運転中に、他車ドライバーと離合の際、進入を待ってもらったり、道を譲ってもらうことはしばしば起こる。
そんな時、相手ドライバーの車とすれ違う時、会釈したり、右手を軽く上げたりして、「ありがとう」の気持ちを表し発信していたのが一般的であった。しかし昼間は良いとしても、薄暮や夜間、雨天の時は、その動作は見えないか、見えにくいのであった。故に譲ってあげたドライバーの中には、「何だ、ありがとうも無いのか」等と、自分の親切を無視したと思って憤慨する者もいる。中にはクラクションを鳴らす者さえ存在する。要は暗くて多くの場合、前述の動作が見えなかっただけなのであるが。
こうした、ちょっとした勘違いや、僅かなドライバーのマナー不足が、今日、問題となっている。あおり運転等の引き金になったりする場合も生じているのである。
【先行技術文献】
【０００３】  今日まで本考案のような、こうした対応に取り組んだ文献は見当たらない。特に自動車のフロント部分や、特にフロントガラスや運転席、後部も含めたサイドガラスに於いては安全運転の立場から、視界を遮るようなステッカーや付着物貼りには厳格な規定があり制限されているのである。
但し、リアガラス部分への規制は厳しい規則はないのである。従って、本考案のフロント部分に関するものとは異にするのであるが、車のリア部分に於いては、以下文献や公知の製品化も存在するのである。
【非特許文献】
【０００４】
【非特許文献１】「株式会社オージー  ネット製品案内  ＬＥＤ乗降中表示灯」
【考案の概要】
【考案が解決しようとする課題】
【０００５】  昨今、ドライバーのマナーが社会問題にまでなった。「あおり運転」等と言う言葉が登場して、悪質事件が発生、昨年だけでも全国で、あおり運転で検挙されたのが１３，０００件に及ぶと報道された。ドライバーのマナーが問われている。それは、取りも直さずドライバーが自己中心的で、ドライブマナーの低下、ついては相手ドライバーに対する思いやりの欠如であると思われる。
前述したように、運転中に相手のドライバーが離合の際、進入を待ってくれたり道を譲ってくれることは、しばしば起こる。これは相手ドライバーの親切な心の発信である。だから、ありがとうの気持ちの返信はとても大切である。
ドライバー相互の思いやりの心のキャッチボールは、安全運転に欠かせない条件である。全てのドライバーが譲り合いと、感謝の「ありがとう」の心が共有出来れば、そんな気持ちでハンドルを握れば、交通事故はもっともっと減るのである。そうした意識高揚の過程として、前述のような場合には親切を受けた人が、「ありがとう」の気持ちをしっかり伝えることが大切である。
よって、夜間等の暗い時であっても、「ありがとう」の意思表示が伝わり双方が清々しい気持ちになり、楽しいドライブ、安全運転、そして事故防止に繋がるような手段、方法が望まれるところである。
【課題を解決するための手段】
【０００６】  本考案は、電池式の照明器具でドライバーの「ありがとう」の心を相手ドライバー等に発信出来るシステムを構築する事である。【０００７】  本考案は、上記の器具が一瞬に点灯可能なワンタッチ、ワンプッシュのスイッチ式にする事にある。いずれも公知のシステムを利用し製作する事である。既に製品化されている市販の物を利用する事でも良い。【０００８】  本考案の照明面に「ありがとう」「どうもすみません」等の感謝の気持ちを表す言葉。或いは頭を下げて感謝を示す絵などを記す事にある。【０００９】  本考案は、片手で持ってワンプッシュで点灯させ、相手ドライバーに見せ、数秒間で消灯するのが基本的な使用方法とする事にある。【００１０】  本考案は、０００９以外の方法として、運転席上の車内サンバイザーの裏側に装着する事にある。【００１１】  本考案は、上記００１０を活用する場合、本考案のサインライトの裏面に装着バンド設け、車内のサンバイザーに装着可能にする事である。常時装着が可能である。装着バンドは布製、ナイロン製等で伸縮出来るものでも良い。
【考案の効果】
【００１２】  本考案は、ドライバー相互の思いやり運転への意思の疎通促進にある。
本考案は、暗くなった薄暮や、夜間のドライブで、道を譲ってもらう等の親切を受けたドライバーは「ありがとう」或いは「どうもすみません」の発信をする。道を譲ったドライバーが「ありがとう」等の感謝のメッセージを見て、きっと「どういたしまして」と心に思い感じるはずである。
まさに、ドライバーの心を繋ぐものである。このドライバー相互の温かい思いやり心の通いは、ドライバーにとって悪いはずはない。運転が楽しく優しい安全運転を一層思うに違いないのである。
又、これまで暗い中でも道を譲られたドライバーは、きっと頭を下げたはずである。しかし本当は、ドライバーは運転中には前方を見ることから目を離してはいけないのである。
本考案は、右手でハンドルをしっかり持ち、左手でワンプッシュにて一瞬の、点灯発信するだけで、前方から眼を離す事はない。常時装着に於いては昼間でも歩行者が狭い道路で道路脇に寄って、車を通してもらった時なども発信する事が可能となる。会釈より発信効果は大きいと推測されるのである。
【図面の簡単な説明】
【００１３】
【図１】本考案の、サインライトの概略正面説明図である。
【図２】車内サンバイザーの装着概略図である。
【図３】本サインライトの貼り込みシール一例見本図である。
【図４】本サインライトの裏面平面図である。
【図５】本サインライトの側面図である。
【図６】サンバイザーの裏面装着図である。
【図７】サンバイザーの発信時図である。
【考案を実施するための形態】
【００１４】  本考案の実施の一形態は、図１に於ける概略正面説明図である。
本考案は、相手ドライバーに感謝の気持ちを発信する装置であるから、見やすく、色合いも大人しく、違和感を感じさせない、好感がもてる照明器具から発信出来る事に考慮したものである。
照明器具は長方形でも丸型でも良いが、相手に親しみやすいのは丸型として、直径が１３ｃｍ〜１５ｃｍとし、片手で手軽に持てるサイズで公知の方法で製作する。又、既に公知の方法で市販されている照明器具もあり、ワンプッシュで点灯、消灯も公知のそれを活用する事でも良い。
【００１５】  上記、照明器具の照明面で表示し、発信する文字やカット絵は、直接照明面に印刷する事とするが、図３は簡易に作成する方法としての、粘着シール印刷群の一例である。そしてシールで作成された「ありがとう」や「どうもすみません」のお礼の言葉や、ありがとうを絵で表わす「頭を下げた絵」などを照明面に貼り込む事とする。
文字やカット絵は、照明が後ろ側から当てられ、浮き出た状態で映し出される事となる。
【実施例】
【００１６】  以下、添付図面に従って、一実施例を説明する。
本考案の実施に於いては、公知の照明器具をサインライト１として応用する事とし、その照明面に「ありがとう」の文字シール４や、それを表わす頭を下げた絵シール５等を、印刷された粘着シール群３から切り抜き貼り込む事とする。
サインライトの裏面に設けられた電池ボックス６に電池を備え、ワンプッシュで点灯、消灯が出来る仕組みである。【００１７】  本考案のサインライト１を、ドライバーが手でかざして発信する場合は、ドライバー席側のサイドボックス等へ入れておくのも、一方法である。【００１８】  図２は、サインライト１を自動車へ装着した、概略図である。【００１９】  本考案のサインライトを車内サンバイザー８に装着、固定させる場合は、サインライトの裏面の上側と下側に設けた固定装着バンド７、７ａで、サンバイザーの裏面９に上下巻いて包み、端をマジックテープ等で接着し、装着する。装着はサインライトを逆さま１１にして装着する。【００２０】  サンバイザーの裏面９を伸ばして下ろせば、サインライトは正面から見て正しい向きに変わる１２。ドライバーが、サインライトの表面２をワンプッシュすればライトが点灯し、「「ありがとう」や「ありがとう」の心を表わす絵」を発信出来る。【００２１】  通過すればワンプッシュで消灯し、サンバイザーを折り曲げ元の位置へ戻す。【００２２】  サインライトは、相手ドライバーの目に必ず入るものであるし、当面は珍しいから注目されるが、こうした状況が増えれば、本サインライトの光を見ただけで、「喜んでくれている」と相手ドライバーには、伝わるのである。
【符号の説明】
【００２３】  １    サインライト本体
２    サインライト照明面
３    照明面表示貼り込みシール一例
４    「ありがとう」の表示シール
５    ありがとうの絵シール
６    電池ボックス
７    装着バンド
７ａ  装着バンド
８    サンバイザー
９    サンバイザーの裏側面
１０    サインライト装着部所
１１    逆さま装着
１２    サンバイザー使用時
【図１】
0003228921.tif 000003
【図２】
0003228921.tif 000004
【図３】
0003228921.tif 000005
【図４】
0003228921.tif 000006
【図５】
0003228921.tif 000007
【図６】
0003228921.tif 000008
【図７】
0003228921.tif 000009
【手続補正書】
【提出日】令和2年7月17日(2020.7.17)
【手続補正１】
【補正対象書類名】実用新案登録請求の範囲
【補正対象項目名】全文
【補正方法】変更
【補正の内容】
【実用新案登録請求の範囲】
【請求項１】
電池式照明器具の照明面に、「ありがとう」、「どうもすみません」の文字、或いは頭を下げて「ありがとう」を表わす絵を書き込みや印刷、或いは前述の文字文章や絵を印刷したシールを張り込むことで構成されていることを特徴とした、ドライバーの心をつなぐ「ありがとう」のサインライト。
【請求項２】
請求項１に示すサインライトは照明器具が点灯することにより照明面の絵及び文字を映し出すことを特徴としたドライバーの心をつなぐ「ありがとう」のサインライト。
【請求項３】
上記、請求項１、又は請求項２に示した本考案のサインライトの裏面に、車内のサンバイザーに装着可能な装着バンドを有することを特徴としたドライバーの心をつなぐ「ありがとう」のサインライト。